(57)【要約】【課題】組立の際にセラミックスシールにかかる荷重を最小限に抑えることができる軸封水装置の組立方法を提供する。【解決手段】回転軸２及びランナ１２等の主機回転部と上カバ９が既に正規員に据え付けられた後に、軸封水装置１４を組立てるので、組立て時に回転側及び静止側のシールリング１７ａ，１７ｂに作用する荷重は、静止側シールケース１６ｂの重量とスプリング１９の付勢力のみの最小限の荷重を受けるだけで組み立てることができ、組立時におけるセラミックスの損傷を防止することができる。【選択図】図７
2006348960.tif 000002
【特許請求の範囲】
【請求項１】
水力機械の回転軸周囲部に設けられ、回転側に固着されたセラミックスからなる回転側シールリングと、その回転側シールリングと対向し、回転側シールリングに弾圧されるように保持されたセラミックスからなる静止側シールリングを有する水力機械の軸封水装置の組立方法において、主機回転部を正規位置に組立完了した後、軸封水装置の静止側部品を組立てることを特徴とする、水力機械の軸封水装置の組立方法。
【発明の詳細な説明】
【技術分野】
【０００１】
本発明は、水力機械の軸封水装置に係わり、特に水車やポンプ、或はポンプ水車の回転軸と静止部の間から漏洩する漏水をシールする軸封水装置の組立方法に関する。
【背景技術】
【０００２】
図８は一般的な水車やポンプ水車などの水力機械を有する水力プラントの概略構成を示す図であり、上記水車やポンプ水車などの水力機械１の回転軸２には、その水力機械１の上方に配設されている発電機３が連結されている。上記水力機械１には図示しない上水池に接続されている鉄管を介して水が供給され、上記水力機械１のランナが回転駆動され、そこでランナを回転駆動した水は、上部吸出管４及び吸出管ランナ５を介して下水池６に放水される。
【０００３】
図９は上記水力機械の概略構成を示す図であり、前記鉄管に接続されたケーシング７の内周にはステアリング８が設けられ、そのステアリング８に複数枚のステイベーン８ａが周方向に配列され流路が形成されている。上記ケーシング７のステアリング８の内周側には上カバ９及び下カバ１０が配設されており、上記ステイベーン８ａの内周側に上カバ９及び下カバ１０で挟持された複数枚のガイドベーン１１が周方向に配列されている。
【０００４】
一方、ケーシング７の中心軸線上には水力機械の回転軸２が設けられており、この回転軸２の下端に上記上カバ９及び下カバ１０間に配設されたランナ１２が固着されている。
【０００５】
しかして、前記ケーシング７に供給された水は、ステイベーン８ａ及びガイドベーン１１を通過して上カバ９及び下カバ１０によって形成されているランナ室内に流入し、ランナ１２を回転駆動した後、上部吸出管４及び吸出管ライナ５を経て下水池６に放水される。
【０００６】
ところで、上記ガイドベーン１１を通過した流水の一部は、上カバ９とランナ１２との間隙１３を通して、上カバ９と水力機械の回転軸２との間から流出しようとするため、静止側である上カバ９と回転部である回転軸２の間には、流水を封じ込める軸封水装置１４が設けられている。そして、この軸封水装置１４からの漏水は、上カバ９の上部を流れ、ステイベーン８ａを貫通する排水穴などを通り、配管により図示しない排水ピット等へ排出される。
【０００７】
上記軸封水装置１４としては、従来、ラビリンスシールタイプやグランドパッキンタイプ、またはカーボンパッキンタイプのものが主流を占めていた。しかしながら、ラビリンスタイプのような非接触タイプのシールは、摩耗や損傷は少ないが、漏水量が多く、また土砂が多い河川においては、土砂摩耗防止のため、清水給水が必要である。また、グランドパッキンは、漏水量はパッキンの締め込みにより低減することができるが、保守が困難であり、また相手側の回転軸を損耗させる等の問題がある。さらに、カーボンパッキンはラビリンスシールに比べて漏水量は少ないが、パッキンの材質であるカーボンは脆く、損傷し易く、また土砂に対しても摩耗し易いため清水給水が必要となる。
【０００８】
このようなことから、近年軸封水装置１４としてセラミックシールが開発された。図１０は、上記セラミックシールを採用した軸封水装置１４の概略構成を示す断面図であり、回転側には、水力機械の回転軸２に固定されたシール台１５上に回転側シールケース１６ａが固着され、その回転側シールケース１６ａ上に高硬度材料であるセラミックスからなる回転側シールリング１７ａが取り付けられている。一方、静止側には、上カバ９にその上カバ９と回転軸２とで形成された環状空間を囲むように封水ケーシング１８が装着され、その封水ケーシング１８に回転軸２の軸方向にのみ移動可能に静止側シールケース１６ｂを設け、その静止側シールケース１６ｂの下面に、前記回転側シールリング１７ａと対向するようにセラミックスからなる静止側シールリング１７ｂが取り付けられている。上記静止側シールケース１６ｂは封水ケーシング１８にスプリング１９で支持されており、そのスプリング１９の付勢力によって静止側シールリング１７ｂが回転側シールリング１７ａに弾圧され、これによって間隙１３から漏洩しようとする流水がシールされるようにしてある。また、上記静止側シールケース１６ｂには、回転軸２と封水ケーシング１８との間に挿入される筒状部が一体的に形成され、その筒状部外周部に封水ケーシング１８の内周面との間の封水を行うＯ−リング２０が設けられている。
【発明の開示】
【発明が解決しようとする課題】
【０００９】
ところが、セラミックシールは耐摩耗性、耐久性に優れているが、脆性材料であるセラミックスは、主機運転時の振動や、負荷遮断時の衝撃などにより、損傷を受け、封水性能が損なわれる可能性がある。
【００１０】
また、通常、セラミックスは高硬度で耐摩耗性に優れ、かつ固体接触した場合の摩擦係数も金属に比べ非常に小さいので、一般的には数秒から１０秒程度の短い時間であれば、乾燥摺動も可能とされている。たとえば、立軸ディフューザーポンプの水中軸受は、主機起動時の乾燥摺動を防ぐため、従来は清水給水を行う必要があったが、セラミック軸受の採用により、給水レスを実現している。
【００１１】
しかしながら、下水池の水位がランナ中心より低い水車の場合は、主機起動時及び停止時に上カバ９とランナ１２との間隙１３の圧力は数分間負圧となり、シール部に残存している水も間隙１３側に吸い込まれ、軸封水装置１４が数分間負圧となり、シール部に残存している水も間隙１３側に吸い込まれ、軸封水装置１４の両シールリング１７ａ，１７ｂが数分にわたり乾燥摺動し、損傷する恐れがある。
【００１２】
さらに、セラミックシールタイプの軸封水装置を備えた水力機械を組み立てる際は、組立時におけるセラミックス部品の損傷を防ぐために、セラミックス部品に過大な荷重を負担させないように考慮する必要がある。
【００１３】
すなわち、図１１に示すように、ランナ１２、回転軸２などの主機回転部を下カバ１０に仮置きして、上カバ９の上部に位置する静止側部品を組み立て、最後に回転部を正規位置に戻す場合には、シールリング１７ａ，１７ｂには静止側シールケース１６ｂの重量以外の荷重がかかることはないが、静止側シールケース１６ｂも下がった位置に仮置きされているので、主機回転部を正規位置に戻す際に、軸封ケーシング１８と静止側シールケース１６ｂの間に設けられているＯ−リング２０の位置がずれ、両者間にＯ−リング２０を噛み込む恐れがある。
【００１４】
そこで、これを回避するためには、Ｏ−リング２０のシール面となる段付部の寸法を大きくとっておくか、または静止側シールケース１６ｂを軸封ケーシング１８に仮固定できるような治具を準備しておく必要がある。
【００１５】
また、図１２に示すように、水車ピット外で主機回転部と上カバ９、場合によってはガイドベーン１１までを組み立て、回転部に静止部を乗せた状態で吊り込む場合には、上カバ９とランナ１２との軸方向ギャップＲ（図９）が静止側シールケース１６ｂの可動ストロークＳ（図１０）よりも大きいと静止側部品の重量がシールリング１７ａ，１７ｂにかかることになる等の問題がある。
【００１６】
したがって、本発明は、組立の際にセラミックスにかかる荷重を最小限に抑えることができる軸封水装置の組立方法を得ることを目的とする。
【課題を解決するための手段】
【００１７】
本発明は、水力機械の回転軸周囲部に設けられ、回転側に固着されたセラミックスからなる回転側シールリングと、その回転側シールリングと対向し、回転側シールリングに弾圧されるように保持されたセラミックスからなる静止側シールリングを有する水力機械の軸封水装置の組立方法であって、主機回転部を正規位置に組立完了した後、軸封水装置の静止側部品を組立てることを特徴とする。
【発明の効果】
【００１８】
以上説明したように、本発明は、主機回転部と少なくとも上カバを含んだ静止部を正規位置に据え付けた状態で軸封水装置の静止側部品を組み立てるものであるから、組立時にシールリングに作用する荷重を最小限に抑えることができる。
【発明を実施するための最良の形態】
【００１９】
以下、図１乃至図６を参照して本発明の参考例および一実施形態について説明する。なお、図中図８及び図９と同一部分には同一符号を付し、その詳細な説明は省略する。
【００２０】
第１参考例
図１は本発明の軸封水装置における第１参考例を示す断面図であり、回転側シールケース１６ａに装着されたセラミックスからなる回転側シールリング１７ａと、静止側シールケース１６ｂに装着されたセラミックスからなる静止側シールリング１７ｂが互いに摺動可能に圧接されており、両シール間からの漏水を防止するようにしてある。
【００２１】
上記回転側シールリング１７ａ及び静止側シールリング１７ｂは、ともに前述のように窒化珪素や炭化珪素などの高硬度材料であるセラミックスにより形成されており、耐摩耗性、耐久性に非常に優れている。しかし、このセラミックスは脆性材料であるため、振動や負荷遮断時の衝撃により、破損する恐れがある。このセラミックシールを使用した軸封水装置はその封水機能が充分働いていれば漏水量は微量であるが、上述の如き原因などで損傷した場合には充分な封水機能を保てなくなることも起り得る。
【００２２】
そこで、本第１参考例においては、静止側シールケース１６ｂと回転部である回転軸２とのギャップδを小さくし、シール効果が発揮できるようにしてある。しかして、回転側シールリング１７ａと静止側シールリング１７ｂ間から漏水が発生しても、上記静止側シールケース１６ｂと回転軸２間のギャップδを小さくして、バックアップシールを構成するようにしてあるため、上記ギャップ部でシールのバックアップが行われ、軸封水装置としての機能が損なわれることがなく、信頼性を向上させることができる。
【００２３】
第２参考例
図２は本発明の第２参考例を示す図であって、両シールリング１７ａ，１７ｂ間からの漏水の流出側である静止側シールケース１６ｂの内周面すなわち回転軸２との対向面に周方向に延びる多数の凹状溝２１が形成され、ラビランス構造が形成されている。しかして、この場合も両シールリング１７ａ，１７ｂ間から漏水が生じたとしても、上記多数の凹状溝２１からなるラビリンス構造部によって封水が行われ、図１に示すものと同様の効果を奏する。
【００２４】
第３参考例
図３は、本発明の第３参考例を示す図であって、封水ケーシング１８の上部に、回転軸２との間に封水作用を行うラビリンスシール２２及びグランドパッキン２３が設けられ、両シールリング１７ａ，１７ｂのシールのバックアップを行うようにしてある。したがって、この場合には単に回転軸との間の隙間を狭くするもの以上のシール効果を期待することができる。
【００２５】
第４参考例
図４は、本発明の第４参考例を示す図であり、図における静止側シールケース１６ｂの上方側、すなわち両シールリング１７ａ，１７ｂ間からの漏水の流出側に、給水管２４が接続開口されており、その給水管２４を介して上記漏水の流出側に給水を供給し得るようにしてある。
【００２６】
通常、セラミックシールは、高硬度で耐摩耗性、耐久性に優れているため、封水の対象となる水さえあれば別途給水を行わずに運転することが可能であるが、下水池の水位がランナより低い水車では、主機起動時及び停止時に封水圧力が負圧となるため、シール部に残存する水が上流側に吸い込まれ、シールリングが乾燥摺動する恐れがある。
【００２７】
そこで、給水管２４によって給水を行うことにより、上カバ９とランナ１２との間隙１３が負圧となると、上記給水がシールリング１７ａ，１７ｂ間の摺動面を介して上記負圧側に吸い込まれるので、シール部に給水されることとなり、乾燥摺動による回転側シールリング１７ａ、静止側シールリング１７ｂの損傷を防ぐことができる。
【００２８】
また、給水系統に自動弁２５を設け、タイマー等により間隙１３が負圧となる主機起動時及び停止時にのみ開作動させ、給水するようにすることによって、給水量を大幅に低減することができる。さらに、給水系統に流量検出器２６を設け、その流量検出器２６により給水管２４の通水を確認し、それを主機起動条件の一つとし、或は通水異常を検出した際は警報を発し、セラミックシールの点検を促すような情報を出力するようにしてもよい。
【００２９】
第５参考例
図５は第５参考例の水力機械の軸封水装置の組立状態を示す図であり、回転部に静止部である上カバ９、ガイドベーン１１などを乗せて吊り込み、回転軸２を或る位置まで下降させた状態で、上カバ９及びガイドベーン１１を正規位置に据え付け、その後さらに回転軸２とランナ１２を若干下降させて正規位置に設定する。
【００３０】
しかして、上記回転部に静止部である上カバ９、ガイドベーン１１などを乗せて吊った状態のとき、図６に示すように封水ケーシング１８と静止側シールケース１６ｂとの間に回転軸２の軸線方向にクリアランスＣが確保できるようにしてある。すなわち、静止側シールリングの可動ストローク寸法Ｓ（図１０）を、ランナ１２と上カバ９の軸方向ギャップ寸法Ｒ（図９）より大きくしてある。したがって、図５に示すように、ランナ１２の下面によって上カバ９を支持し、ランナ１２の上面が上カバ９の下面に接している場合においても、図６に示すように、封水ケーシング１８と静止側シールケース１６ｂとの間にクリアランスＣが生ずる。
【００３１】
したがって、上記上カバ９等の吊り上げ時には、上カバ９及び封水ケーシング１８等の静止部重量がシールリング１７ａ，１７ｂに加わることが防止され、組立時にセラミックスにかかる荷重を最小限にすることができる。
【００３２】
実施形態
また、図７は、本発明の水力機械の軸封水装置の組立方法の一実施形態示す図であって、図７に示すように、回転軸２及びランナ１２等の主機回転部と上カバ９が既に正規員に据え付けられた後に、軸封水装置１４を組立てる。したがって、組立て時に回転側及び静止側のシールリング１７ａ，１７ｂに作用する荷重は、静止側シールケース１６ｂの重量とスプリング１９の付勢力のみの最小限の荷重を受けるだけで組み立てることができ、組立時におけるセラミックスの損傷を防止することができる。
【図面の簡単な説明】
【００３３】
【図１】本発明の水力機械の軸封水装置の第１参考例を示す断面図。
【図２】本発明の水力機械の軸封水装置の第２参考例を示す断面図。
【図３】本発明の水力機械の軸封水装置の第３参考例を示す断面図。
【図４】本発明の水力機械の軸封水装置の第４参考例を示す断面図。
【図５】本発明の第５参考例における水力機械の軸封水装置の組立て状態を示す図。
【図６】図５における軸封水装置部の拡大断面図。
【図７】本発明の水力機械の軸封水装置の組立方法の一実施形態を示す図。
【図８】水力プラントの概略構成を示す図。
【図９】本発明に係わる水力機械を示す断面図。
【図１０】従来のセラミック製軸封水装置の拡大断面図。
【図１１】水力機械の組立手順の一例を示す図。
【図１２】水力機械の組立手順の他の例を示す図。
【符号の説明】
【００３４】
２  回転軸
７  ケーシング
８ａ  ステイベーン
９  上カバ
１０  下カバ
１１  ガイドベーン
１２  ランナ
１４  軸封水装置
１６ａ  回転側シールケース
１６ｂ  静止側シールケース
１７ａ  回転側シールリング
１７ｂ  静止側シールリング
１８  封水ケーシング
１９  スプリング
２０  Ｏリング
２２  ラビリンスシール
２３  グランドパッキン
２４  給水管
２５  自動弁
２６  流量検出器
【図１】
2006348960.tif 000003
【図２】
2006348960.tif 000004
【図３】
2006348960.tif 000005
【図４】
2006348960.tif 000006
【図５】
2006348960.tif 000007
【図６】
2006348960.tif 000008
【図７】
2006348960.tif 000009
【図８】
2006348960.tif 000010
【図９】
2006348960.tif 000011
【図１０】
2006348960.tif 000012
【図１１】
2006348960.tif 000013
【図１２】
2006348960.tif 000014